(57)【要約】【課題】  方向性のある絵柄の壁紙を容易に貼り付けることができる、施工性に優れた壁紙セットを提供する。【解決手段】  本発明は、  第１の絵柄２１が施された第１の壁紙２０と第２の絵柄３１が施された第２の壁紙３０とからなる一組の壁紙セット１０である。第１の壁紙２０及び第２の壁紙３０は、ロール状をなしている。第１の絵柄２１及び第２の絵柄３１は、上下方向、左右方向又は斜め方向のうちの少なくとも１つの方向性のある絵柄であり、且つ、グラビア印刷、エンボス加工又はロータリースクリーン印刷のうちの少なくとも１つの手段により第１の壁紙２０及び第２の壁紙３０に施されている。第１の絵柄２１と第２の絵柄３１とは、第１の壁紙２０を鉛直方向に置き、第２の壁紙３０を水平方向に置いたときに同じ絵柄となる。【選択図】  図４
2020012363.tif 000002
【特許請求の範囲】
【請求項１】
第１の絵柄が施された第１の壁紙と第２の絵柄が施された第２の壁紙とからなる一組の壁紙セットであって、
前記第１の壁紙及び前記第２の壁紙は、ロール状をなし、
前記第１の絵柄及び前記第２の絵柄は、上下方向、左右方向又は斜め方向のうちの少なくとも１つの方向性のある絵柄であり、且つ、グラビア印刷、エンボス加工又はロータリースクリーン印刷のうちの少なくとも１つの手段により前記第１の壁紙及び前記第２の壁紙に施されており、
前記第１の絵柄と前記第２の絵柄とは、前記第１の壁紙を鉛直方向に置き、前記第２の壁紙を水平方向に置いたときに同じ絵柄となる一組の壁紙セット。
【発明の詳細な説明】
【技術分野】
【０００１】
本発明は、建築物の壁や天井等の内装材及びエレベーターの内装として用いられる壁紙（糊無し、糊あり、粘着剤付き等々）に関し、特に、方向性のある絵柄が施された壁紙の施工性を向上させる壁紙セットに関するものである。
【背景技術】
【０００２】
従来、マンション、一般家屋等の建築物の壁、天井、柱、梁等の表面を装飾する内装材として、壁紙（クロス）が使用されている。壁紙は、その意匠性を高めるために、種々の印刷やエンボス加工により表面に意匠が施されている。壁紙の意匠は、縦や横の柄がない無地柄、縦と横の区別がつきにくい絵柄、図１のようなストライプ模様（図１（ａ））、ボーダー模様（図１（ｂ））、木目模様（図１（ｃ））、煉瓦積模様（図１（ｄ））、斜め格子状模様（図１（ｅ））、花等の植物模様（図１（ｆ））、動物模様（図１（ｇ））等の縦と横の区別が明確に表れる絵柄に大別される。
【０００３】
このような壁紙は、裏面が壁、天井、柱、梁等の表面に、糊付け等によって貼り付けられることで利用されている。壁への貼り付けを例にとって説明すると、一般に壁の高さに合わせて長方形状にカットされた壁紙は、その長手方向を壁の上下方向（鉛直方向）に沿わせ、上端から下端へと貼り付けられる。
【０００４】
近年、この壁紙の貼付性つまり施工性を向上させる目的で、種々の壁紙が開発されている。例えば、特許文献１には、発泡壁紙において、水性の壁紙のりを用いて施工を行う際に、壁紙の裏面を構成する機材が水分によって膨潤することを防ぎ、施工性を向上させた壁紙が提案されている。また、特許文献２には、積層壁紙において、カールしやすいという商品特性を解消し、施工性を向上させた壁紙が提案されている。
【先行技術文献】
【特許文献】
【０００５】
【特許文献１】特開２０１８−０７１２７３号公報
【特許文献２】特開２０１３−３３６９４２号公報
【発明の概要】
【発明が解決しようとする課題】
【０００６】
上記のように、種々の観点から施工性を向上させた壁紙が提案されているが、これまで水平方向に延びる梁への施工を向上させる壁紙はなかった。すなわち、建築物の中には、図２のように建築物の室内１の壁２付近や天井３付近に水平方向に延びる梁４が設けられていることがある。このような室内１に、図１のような縦と横の区別が明確に表れる絵柄、つまり上下方向、左右方向又は斜め方向といった方向性のある絵柄が施された壁紙を貼り付ける場合、上述したように、壁２には、壁紙の長手方向を壁２の上下方向（図３の矢印Ａの方向）に沿わせて壁紙が貼り付けられる（図３参照）。なお、図中の破線Ｌ１は、壁紙の継ぎ目を理解しやすいようにあえて示したもので、実際には視認できないものある。
【０００７】
一方、梁４は、壁２の上下方向と直交する水平方向（図３の矢印Ｂの方向）が長手方向となる。このような梁４に対して容易に壁紙を貼り付けようとすると、壁紙の長手方向を梁４の長手方向つまり水平方向に沿わせて壁紙を貼り付けることとなる。しかしながら、上記のように壁紙を梁４に貼り付けた場合、図３（ａ）に示すように、壁２と梁４とで絵柄が異なってしまい、見栄えが悪くなる。そのため、このような壁紙の貼り方は認められないことが多い。したがって、梁４に壁紙を貼る場合、壁２と梁４との絵柄を合わせるために、図３（ｂ）に示すように壁紙の長手方向を梁４の短手方向（図３の矢印Ｃの方向）に沿わせ、１枚ずつ縦に巻き込みながら壁紙を貼っていかなければならない。しかしながら、図３（ｂ）に示すように壁紙を施工すると、壁紙を貼る回数が多くなるため施工に多大な時間を要し、施工性が悪いという問題が生じていた。近年、高層マンション、高層ビルディング等の高層建築物の増加から、室内１に梁４が設けられる構造が増えており、上記問題がより顕著になっている。
【０００８】
本発明は、上記課題を解決するためになされたものであり、方向性のある絵柄の壁紙を容易に貼り付けることができる、施工性に優れた壁紙セットを提供することを目的とする。
【課題を解決するための手段】
【０００９】
本発明は、第１の絵柄が施された第１の壁紙と第２の絵柄が施された第２の壁紙とからなる一組の壁紙セットである。第１の壁紙及び第２の壁紙は、ロール状をなしている。第１の絵柄及び第２の絵柄は、上下方向、左右方向又は斜め方向のうちの少なくとも１つの方向性のある絵柄であり、且つ、グラビア印刷、エンボス加工又はロータリースクリーン印刷のうちの少なくとも１つの手段により第１の壁紙及び第２の壁紙に施されている。第１の絵柄と第２の絵柄とは、第１の壁紙を鉛直方向に置き、第２の壁紙を水平方向に置いたときに同じ絵柄となる。
【００１０】
本発明の壁紙セットは、第１の壁紙を鉛直方向に置き、第２の壁紙を水平方向に置いたときに同じ絵柄となる。この第１の壁紙及び第２の壁紙を壁及び梁に貼り付ける。具体的には、ロール状の第１の壁紙を壁の高さに合わせてカットし、第１の壁紙の長手方向を鉛直方向に沿わせて第１の壁紙を壁に貼り付ける。また、ロール状の第２の壁紙を梁の長さに合わせてカットし、第２の壁紙の長手方向を水平方向に沿わせて第２の壁紙を梁に貼り付ける。すると、第１の壁紙が鉛直方向に貼り付けられ、第２の壁紙が水平方向に貼り付けられるため、壁に貼り付けられた第１の壁紙の第１の絵柄と梁に貼り付けられた第２の壁紙の第２の絵柄とを同じ絵柄とすることができる。また、梁への施工において、第２の壁紙の長手方向を梁の長手方向（水平方向）に沿わせて第２の壁紙を梁に貼り付けることができる。これにより、壁への施工は従来通り行える上に、従来特に時間がかかっていた梁への施工を容易に行うことができ、方向性のある絵柄の壁紙を容易に貼り付けることができる。その結果、壁紙の施工性を向上させることができる。
【００１１】
なお、「方向性のある絵柄」とは、図１（ａ）〜（ｅ）のような縦と横の区別が明確に表れる絵柄、及び、図１（ｆ）〜（ｇ）のような花、葉、植物並びに動物等の上下が明確な絵柄等、長方形状にカットした壁紙を縦向き（鉛直方向に置いた状態）で見たときと横向き（水平方向に置いた状態）で見たときで絵柄の印象が変わるものをいう。以下、本明細書を通じて同義である。
【発明の効果】
【００１２】
本発明に係る壁紙セットによれば、方向性のある絵柄の壁紙を容易に同じ向きの絵柄となるように貼り付けることができ、室内全体への壁紙の施工性を向上させることができる。
【図面の簡単な説明】
【００１３】
【図１】壁紙の一例を示す平面図である。
【図２】建築物の室内の一例を示す斜視図である。
【図３】建築物の室内の梁への従来の壁紙の施工方法を示す斜視図である。
【図４】本発明の壁紙セットの一実施形態を示す平面図である。
【図５】図４の壁紙セットの基準となる絵柄を示す平面図であり、図５（ａ）は基準絵柄を示す図であり、図５（ｂ）は回転基準絵柄を示す図である。
【図６】図４の第１の壁紙の第１の絵柄の印刷過程を示す概略図である。
【図７】図４の第２の壁紙の第２の絵柄の印刷過程を示す概略図である。
【図８】図４の壁紙セットを壁及び梁に貼り付けた状態を示す正面図である。
【発明を実施するための形態】
【００１４】
以下、本発明に係る壁紙セットの一実施形態について、添付図面を参照して説明する。図４は、壁紙セット１０の平面図で、ロール状の第１の壁紙２０及び第２の壁紙３０のロールから引き出した一部分を図示している。
【００１５】
図４に示すように、壁紙セット１０は、第１の壁紙２０と第２の壁紙３０とが一組になって構成されている。第１の壁紙２０及び第２の壁紙３０はともにロール状をなしている。具体的には、第１の壁紙２０及び第２の壁紙３０はともに、幅が約３０ｃｍ〜約１４６ｃｍ、長さが約１ｍ以上、好ましくは長さが約２．４ｍ〜約３００ｍ、より好ましくは長さが約５ｍ〜約３００ｍ、さらに好ましくは長さが約１０ｍ〜約３００ｍとなっている。第１の壁紙２０には第１の絵柄２１が施されており、第２の壁紙３０には第２の絵柄３１が施されている。
【００１６】
第１の絵柄２１及び第２の絵柄３１は、図１に例示するような上下方向、左右方向又は斜め方向のうちの少なくとも１つの方向性のある絵柄である。言い換えると、第１の絵柄２１及び第２の絵柄３１は、無地柄模様、市松模様及び格子状模様等の縦向きで見ても横向きで見ても略同じとなる絵柄を除く絵柄である。
【００１７】
第１の絵柄２１及び第２の絵柄３１は、第１の壁紙２０及び第２の壁紙３０の幅に合わせてデザインされている。つまり、ロール状の壁紙（第１の壁紙２０又は第２の壁紙３０）を壁２等の高さ又は梁４等の長さに合わせて長方形状にカットして貼り付けていく際、壁紙２０，３０の短手方向（幅方向）は、１枚目のカットされた壁紙２０，３０の隣に連続するように２枚目のカットされた壁紙２０，３０が貼り付けられることとなる。このとき、１枚目のカットされた壁紙２０，３０の絵柄（第１の絵柄２１又は第２の絵柄３１）が２枚目のカットされた壁紙２０，３０の絵柄２１，３１と連続するように、第１の絵柄２１及び第２の絵柄３１はデザインされている。
【００１８】
また、第１の絵柄２１及び第２の絵柄３１の長さ方向は、所定ピッチごとに基準となるデザインを繰り返してデザインされている。例えば、壁紙２０，３０の幅×高さ５０ｃｍの基準となるデザイン、又は、壁紙２０，３０の幅×一般的な壁２の高さ３ｍの基準となるデザイン等を長さ方向に繰り返すことで第１の絵柄２１及び第２の絵柄３１がデザインされている。
【００１９】
このとき、第１の絵柄２１と第２の絵柄３１とは、第１の絵柄２１が施された第１の壁紙２０を鉛直方向（縦向き）に置き、第２の絵柄３１が施された第２の壁紙３０を水平方向（横向き）に置いたときに同じ絵柄となるようにデザインされている。この同じ絵柄とは、単に絵柄が同じだけでなく、壁２及び梁４等の建築物の室内１に壁紙２０，３０を貼り付けたときに，光の差し込みによっても色の違いが視認できない程度に、明度、彩度及び色彩までも同じであることを意味する。
【００２０】
本実施形態では、第１の絵柄２１及び第２の絵柄３１は、図５（ａ）に示す基準絵柄４１を用いてデザインされている。基準絵柄４１は、方向性のある絵柄が正方形状に形成されてなる。本実施形態では、基準絵柄４１は、白黒灰の長方形を繰り返した模様としている。
【００２１】
具体的には、第１の絵柄２１は、基準絵柄４１を基準として用い、図４に示すように、基準絵柄４１を、短手方向に３回、長手方向に複数回（図４で視認できる範囲で８回）繰り返すことでデザインされている。ここで、図４の破線Ｌ２は、基準絵柄４１の境界を理解しやすいようにあえて示したもので、実際には視認できないものである。
【００２２】
同様に、第２の絵柄３１も、基準絵柄４１を基準として用いる。第２の絵柄３１は、図５（ａ）の矢印Ｄ方向（時計方向）又は矢印Ｅ方向（反時計方向）に基準絵柄４１を９０°回転させた回転基準絵柄４２（図５（ｂ））を、短手方向に３回、長手方向に複数回（図４で視認できる範囲で８回）繰り返すことでデザインされている。ここでも同様に、図４の破線Ｌ３は回転基準絵柄４２の境界を理解しやすいようにあえて示したもので、実際には視認できないものである。
【００２３】
このようにして第１の絵柄２１及び第２の絵柄３１をデザインすることで、第１の絵柄２１と第２の絵柄３１とは、第１の絵柄２１が施された第１の壁紙２０を鉛直方向（縦向き）に置き、第２の絵柄３１が施された第２の壁紙３０を水平方向（横向き）に置いたときに同じ絵柄となっている。
【００２４】
なお、第１の絵柄２１及び第２の絵柄３１をデザインするために基準絵柄４１及び回転基準絵柄４２を繰り返す回数は、１回以上であれば任意の回数とすることができる。また、基準絵柄４１及び回転基準絵柄４２を短手方向及び長手方向に繰り返す際、基準絵柄４１及び回転基準絵柄４２の外周端をぴったり合わせることが好ましいが、基準絵柄４１及び回転基準絵柄４２を展開させてデザインされる第１の絵柄２１及び第２の絵柄３１に違和感がない程度であれば、基準絵柄４１及び回転基準絵柄４２の外周端は多少ずれてもよい。
【００２５】
次に、図６及び図７を用いて、具体的に第１の壁紙２０及び第２の壁紙３０に第１の絵柄２１及び第２の絵柄３１を設ける方法を説明する。図６及び図７は、第１の壁紙２０及び第２の壁紙３０に第１の絵柄２１及び第２の絵柄３１を印刷する過程を示す概略平面図である。図６及び図７では、ロール状の原紙１５のロールから引き出した一部分を図示している。
【００２６】
第１の壁紙２０及び第２の壁紙３０には、一般に壁紙に使用されている既知の任意の素材からなる原紙１５（例えば、一般紙、不燃紙、不織布、壁紙用紙材等）が用いられる。原紙１５に直接、又は、原紙１５の表面にポリ塩化ビニル（ＰＶＣ）を塗布した状態で、任意の印刷や加工を施して絵柄を設けることで壁紙２０，３０が生成される。
【００２７】
具体的には、第１の絵柄２１及び第２の絵柄３１は、グラビア印刷、エンボス加工又はロータリースクリーン印刷のうちの少なくとも１つの手段により第１の壁紙２０及び第２の壁紙３０に施されている。より具体的に説明すると、絵柄２１，３１を施す手段には、例えば、グラビア印刷のみ、エンボス加工のみ、若しくは、ロータリースクリーン印刷のみといった単独の印刷若しくは加工が用いられる場合、又は、グラビア印刷＋エンボス加工、グラビア印刷＋エンボス加工＋ロータリースクリーン印刷、若しくは、エンボス加工＋ロータリースクリーン印刷といった印刷若しくは加工が組み合わされて用いられる場合がある。本実施形態では、グラビア印刷によって第１の壁紙２０及び第２の壁紙３０に第１の絵柄２１及び第２の絵柄３１を設けるので、以下ではグラビア印刷に使用するグラビアプリントロールを用いて説明する。なお、エンボス加工又はロータリースクリーン印刷を行う際は、以下で説明するグラビア印刷のグラビアプリントロールに変わるエンボスロール又はロータリースクリーンを用いればよい。
【００２８】
第１の絵柄２１及び第２の絵柄３１を印刷するために、２つのグラビアプリントロールを準備する。具体的には、第１の絵柄２１を印刷するための第１のグラビアプリントロール５０と、第２の絵柄３１を印刷するための第２のグラビアプリントロール６０とを準備する。第１のグラビアプリントロール５０には、第１の絵柄２１のデザインに基づいて、印刷する部分に凹部５１が設けられている。第２のグラビアプリントロール６０には、第２の絵柄３１のデザインに基づいて、印刷する部分に凹部６１が設けられている。グラビアプリントロール（第１のグラビアプリントロール５０及び第２のグラビアプリントロール６０）の軸方向が壁紙２０，３０の幅方向となるため、グラビアプリントロール５０，６０の軸方向に沿って、絵柄２１，３１の幅方向のデザインが展開している。また、絵柄２１，３１の長さ方向は所定ピッチごとに基準となるデザインが繰り返されているので、その繰り返すデザインの少なくとも１回分がグラビアプリントロール５０，６０の周方向に沿って展開している。
【００２９】
第１のグラビアプリントロール５０に原紙１５を挿入し、第１のグラビアプリントロール５０で原紙１５に第１の絵柄２１を印刷することで、第１の壁紙２０を生成する。また、第２のグラビアプリントロール６０に原紙１５を挿入し、第２のグラビアプリントロール６０で原紙１５に第２の絵柄３１を印刷することで、第２の壁紙３０を生成する。このとき、第１の絵柄２１と第２の絵柄３１とは、第１の壁紙２０を鉛直方向に配置し、第２の壁紙３０を水平方向に配置した際に、同じ色合い（明度、彩度、色彩）になるように印刷される。具体的には、第１のグラビアプリントロール５０及び第２のグラビアプリントロール６０の凹部５１，６１の形状を調整する、並びに／又は、第１のグラビアプリントロール５０及び第２のグラビアプリントロール６０に充填するインクの濃度を調整することで、第１の絵柄２１と第２の絵柄３１との色合いを調整する。これにより、縦貼り用の壁紙（第１の壁紙２０）を、壁紙２０の長手方向を壁２等の鉛直方向に沿わせて、壁２等に貼り付け、横貼り用の壁紙（第２の壁紙３０）を、壁紙３０の長手方向を梁４等の水平方向に沿わせて、梁４等に貼り付けたときに，第１の絵柄２１と第２の絵柄３１とを、光の差し込みによっても色の違いが視認できない程度に明度、彩度及び色彩までも同じとなる絵柄とすることができる。この鉛直方向に沿わせて貼り付ける用の壁紙（第１の壁紙２０）と水平方向に沿わせて貼り付ける用の壁紙（第２の壁紙３０）とが二枚一組となり、用途に応じて貼り付けることで同じ色合いの同じ絵柄となる壁紙セット１０が生成される。
【００３０】
次に、図８を参照して、上記のようにして生成された第１の壁紙２０と第２の壁紙３０とからなる一組の壁紙セット１０を用いて、建築物の室内１の壁２及び梁４に壁紙を貼り付ける方法について説明する。
【００３１】
壁２には、第１の壁紙２０を用いる。ロール状の第１の壁紙２０を壁２の長さに合わせてカットする。そして、第１の壁紙２０の長手方向を壁２の上下方向つまり鉛直方向に沿わせて、第１の壁紙２０を壁２に貼り付ける。図８は、壁２の右端から第１の壁紙２０を２枚貼り付けた状態を示している。図８の破線Ｌ４は、第１の壁紙２０の継ぎ目を理解しやすいようにあえて示したもので、実際には視認できないものである。
【００３２】
梁４には、第２の壁紙３０を用いる。ロール状の第２の壁紙３０を梁４の長さに合わせてカットする。そして、第２の壁紙３０の長手方向を梁４の長手方向つまり水平方向に沿わせて、第２の壁紙３０を梁４に貼り付ける。図８は、梁４の右端から第２の壁紙３０を貼り付けた状態を示している。このようにして、建築物の室内１の壁２及び梁４全体に壁紙２０，３０を貼り付ける。建築物の室内１には他に、柱等の鉛直方向に延びる部分、又は、カーテンレール等の水平方向に延びて出隅部及び入隅部を備える部分があるが、鉛直方向に延びる部分には壁２と同様に第１の壁紙２０を貼り付け、水平方向に延びる部分には梁４と同様に第２の壁紙３０を貼り付ける。なお、壁紙２０，３０の貼り付け方は、壁紙２０，３０の裏面に糊を付けて貼り付ける等、既知の任意の方法を用いる。
【００３３】
以上のように、本実施形態の壁紙セット１０は、第１の壁紙２０と第２の壁紙３０とを備えており、第１の壁紙２０に施される第１の絵柄２１と第２の壁紙３０に施される第２の絵柄３１とは、第１の壁紙２０を鉛直方向に置き、第２の壁紙３０を水平方向に置いたときに同じ絵柄となっている。この第１の壁紙２０及び第２の壁紙３０を上記のようにして壁２及び梁４に貼り付ける。すると、第１の壁紙２０が鉛直方向に貼り付けられ、第２の壁紙３０が水平方向に貼り付けられるため、壁２等に貼り付けられた第１の壁紙２０の第１の絵柄２１と梁４等に貼り付けられた第２の壁紙３０の第２の絵柄３１とを同じ絵柄とすることができる。このように、建築物の室内１の壁紙２０，３０を貼り付けたい場所に応じて壁紙２０，３０を使い分けて、壁紙２０，３０を貼り付けることができる。すなわち、壁２及び柱のような鉛直方向に延びる部分又は鉛直方向に貼り付けていく部分には、第１の壁紙２０を使用して貼り付けることができ、一方、梁４及びカーテンレールのような水平方向に延びる出隅部及び入隅部には、第２の壁紙３０を使用して貼り付けることができる。
【００３４】
その結果、壁２等は従来通りに貼り付けることができる一方で、梁４等は従来（図３（ｂ）に示した方法）と比べて容易に貼り付けることができ、室内１全体に従来と比べて短時間で壁紙２０，３０を貼り付けることができる。具体的には、梁４等への施工において、従来の方法（図３（ｂ）の方法）では壁紙の長手方向を鉛直方向に沿わせるため例えば３枚の壁紙が必要なところ、本実施形態では第２の壁紙３０の長手方向を水平方向に沿わせることができるため、梁４等の長さに合わせてカットした１枚の第２の壁紙３０を用いればよい。
【００３５】
通常、２枚目以降の壁紙の貼り付けは、隣の壁紙と絵柄を合わせて貼り付け、隣の壁紙との継ぎ目の重複部分をカットし、継ぎ目が目立たないようにローラ等で圧着させる。梁４等の場合、壁２等にすでに壁紙が貼り付けられていると、その壁２等に貼られた壁紙とも絵柄を合わせる必要があり、さらに絵柄を合わせる時間及び継ぎ目の処理の時間が多くなる。しかしながら、本実施形態の方法により梁４等に第２の壁紙３０を貼り付けることで、第２の壁紙３０の継ぎ目が従来と比べて少なくなり、絵柄を合わせる時間及び継ぎ目の処理に係る時間が短縮される。これらの時間短縮の結果、本実施形態の壁紙セット１０を用いることで、従来と比べて施工時間を約４分の１にすることができる。さらに、第２の壁紙３０の継ぎ目が従来と比べて少なくなることで、経時による継ぎ目の剥がれ及び捲れ等を減らすこともできる。
【００３６】
また、第１の壁紙２０に施される第１の絵柄２１と第２の壁紙３０に施される第２の絵柄３１とは、第１の壁紙２０を鉛直方向に置き、第２の壁紙３０を水平方向に置いたときに同じ絵柄となっている。これにより、室内１の景観を損なうこともなく、見栄え良く壁紙２０，３０を貼り付けることができる。その結果、本実施形態の壁紙セット１０を用いることで、方向性のある絵柄の壁紙２０，３０を容易に貼り付けることができ、室内１全体への壁紙２０，３０の施工性を向上させることができる。また、この効果は、長時間労働が減り、労働生産性が上がることとなり、近年取り上げられている働き方改革にもマッチする。
【００３７】
また一般に、壁紙２０，３０の絵柄２１，３１は、壁紙２０，３０の長手方向及び短手方向に基準絵柄４１を繰り返し配置することでデザインされることが多い。このとき、方向性のある絵柄の場合、図１（ａ）及び図１（ｃ）のような縦長の模様では縦長の長方形状の基準絵柄が作成され、図１（ｂ）及び図１（ｄ）のような横長の模様では横長の長方形状の基準絵柄が作成される。このような長方形状の基準絵柄に基づいて縦向き用の絵柄Ａ（本発明において第１の絵柄２１に相当）と横向き用の絵柄Ｂ（本発明において第２の絵柄３１に相当）とをデザインしようとすると、一方の絵柄Ａを一般的な壁紙の短手方向の長さとすると、もう一方の絵柄Ｂは長方形状の基準絵柄を時計方向又は反時計方向に９０°回転させて用いるため、一般的な壁紙の短手方向の長さより長くなってしまう。なお、横長の長方形状の基準絵柄の場合、絵柄Ｂの短手方向の長さは、一般的な短手方向の長さより短くなるが、その分基準絵柄を繰り返す回数を増やして配置するため、結果、絵柄Ｂの短手方向の長さは、一般的な壁紙の短手方向の長さより長くなってしまう。この場合、絵柄Ｂは既存のロール（グラビアプリントロール、エンボスロール、ロータリースクリーン）の幅を超えてしまい、既存のロールを使用して絵柄Ｂを印刷することができない。そこで、絵柄Ｂの短手方向の長さに合わせてロールの幅を変更すると、幅を変更したロールが既存の機械に適合せず、結果、ロールを使用できない。このように、基準絵柄を長方形状とすると、絵柄Ａを施した壁紙Ａを鉛直方向に置き、絵柄Ｂを施した壁紙Ｂを水平方向に置いたときに、絵柄Ａと絵柄Ｂとが同じ絵柄となるデザインを容易に生成することができない。
【００３８】
これに対し、本実施形態では、方向性のある絵柄に対して、あえて正方形状の基準絵柄４１を作成している。このように基準絵柄４１を正方形状とすることで、第１の絵柄２１は基準絵柄４１をそのまま利用してデザインでき、第２の絵柄３１は基準絵柄４１を時計回り又は反時計回りに９０°回転させた回転基準絵柄４２を利用してデザインできる。これにより、第１の絵柄２１及び第２の絵柄３１は、略一定の短手方向の長さを有する。また、第１の絵柄２１を施した第１の壁紙２０を鉛直方向に置き、第２の絵柄３１を施した第２の壁紙３０を水平方向に置いたときに同一となる第１の絵柄２１と第２の絵柄３１とを容易にデザインすることができる。また、短手方向の長さが略一定であるため、既存のロールを使用でき、より容易に壁紙２０，３０を生成することができる。
【００３９】
また、本実施形態のように、壁紙２０，３０を壁２及び梁４等に貼り付けた際の見た目において同じ色合いになるように調整して印刷・加工しておくことで、壁紙２０，３０の施工性を向上させるのみならず、貼り付けられた壁紙２０，３０の見栄えも向上させることができる。
【００４０】
以上、本発明の実施形態について説明したが、本発明はこれらの実施形態に限定されるものではなく、その趣旨を逸脱しない限りにおいて、種々の変更が可能である。
【００４１】
例えば、上記実施形態では、基準絵柄４１は、白黒灰の長方形を繰り返した模様としているが、基準絵柄４１は、例えば図１のような絵柄でも良いし、その他、方向性のある任意の絵柄とすることができる。
【００４２】
また、上記実施形態では、第１の絵柄２１及び第２の絵柄３１は基準絵柄４１を用いて生成されているが、本発明の壁紙セット１０は、例えば複数枚の壁紙で一つの絵柄が作られる壁紙セットにも適用できる。すなわち、壁２等に貼り付ける第１の壁紙は、鉛直方向に複数枚を順番に貼り付けた際に一つの絵柄がデザインされるように第１の絵柄がデザインされ、梁４等に貼り付ける第２の壁紙は、水平方向に貼り付けた際に第１の絵柄に連続するように第２の絵柄がデザインされるようにしてもよい。そして、第１の絵柄と第２の絵柄とが合わさって、一つの大きな絵柄が生成されるようにしてもよい。
【００４３】
また、上記実施形態では、壁紙セット１０として、裏面に糊付け等して貼り付けるものを例示したが、本発明の壁紙セットは、予め裏面に粘着シール剤が塗布されているものも含むものである。このような粘着シール剤が予め塗布されている壁紙セットは、粘着シール剤を保護する剥離紙を外して貼り付けることができる。
【００４４】
また、上記実施形態では、第１の絵柄２１と第２の絵柄３１とを一組でデザインして壁紙セット１０を生成することを説明したが、一般に縦貼り用として使用される既存の壁紙と組み合わせて一組の壁紙セットとなるように横貼り用の絵柄をデザインして、そのデザインの絵柄を施した横貼り用の壁紙を生成してもよい。この場合、既存の縦貼り用の壁紙と、生成した横貼り用の壁紙とが一組の壁紙セットとなる。
【００４５】
また、上記実施形態は、建築物の内装材として用いられる壁紙１０セットであるが、本発明の技術思想は、家具及び家電等の表面に貼り付けて家具及び家電等の表面を装飾する装飾シート及びリメイクシート等へも適用できるものである。
【符号の説明】
【００４６】
１０    壁紙セット
２０    第１の壁紙
２１    第１の絵柄
３０    第２の壁紙
３１    第２の絵柄
【図１】
2020012363.tif 000003
【図２】
2020012363.tif 000004
【図３】
2020012363.tif 000005
【図４】
2020012363.tif 000006
【図５】
2020012363.tif 000007
【図６】
2020012363.tif 000008
【図７】
2020012363.tif 000009
【図８】
2020012363.tif 000010